(57)【特許請求の範囲】
【請求項１】
開口部を有する芳香液容器と、
該芳香液容器内に収容された芳香液と、
吸上機能及び揮散機能を備えた吸上揮散部材とを含み、
前記吸上揮散部材の少なくとも一部が前記芳香液に浸漬され、前記吸上揮散部材の少なくとも一部が前記開口部から空気中に露出可能に又は露出して設けられ、
少なくとも前記吸上揮散部材の一部の表層部に、金属イオンを担持した多孔質体を含むコーティング部が形成されていることを特徴とする芳香消臭器。
【請求項２】
前記金属イオンが、銀イオン、亜鉛イオン、鉛イオン、マグネシウムイオン、錫イオン、鉄イオン、ニッケルイオン、白金イオン、金イオン、ナトリウムイオン及び銅イオンのうちの少なくとも１つであることを特徴とする請求項１に記載の芳香消臭器。
【請求項３】
前記多孔質体が、ゼオライトであることを特徴とする請求項１又は２に記載の芳香消臭器。
【請求項４】
前記金属イオンが銀イオンであり、前記多孔質体がゼオライトであることを特徴とする請求項１に記載の芳香消臭器。
【請求項５】
前記コーティング部に含まれる前記多孔質体の量が、０．１ｇ／ｍ２〜１０ｇ／ｍ２の範囲であることを特徴とする請求項１〜４のいずれかの項に記載の芳香消臭器。
【請求項６】
前記吸上揮散部材において、吸上機能を有する吸上部、及び揮散機能を有する揮散部が連続して一体化していることを特徴とする請求項１〜５のいずれかの項に記載の芳香消臭器。
【請求項７】
前記吸上揮散部材において、吸上機能を有する吸上部、及び揮散機能を有する揮散部が分離して存在し、使用時に前記吸上部と前記揮散部が接触するように構成されていることを特徴とする、請求項１〜５のいずれかの項に記載の芳香消臭器。
【請求項８】
揮散部と吸上部とを備えた芳香消臭器用吸上揮散部材であって、
少なくとも前記吸上揮散部材における表層部の一部に、金属イオンを担持した多孔質体を含むコーティング部が形成されていることを特徴とする芳香消臭器用吸上揮散部材。
【請求項９】
前記多孔質体がゼオライトであり、前記金属イオンが銀イオンであることを特徴とする請求項８に記載の芳香消臭器用吸上揮散部材。 
【発明の詳細な説明】
【技術分野】
【０００１】
本発明は、芳香消臭器及び芳香消臭器用の吸上揮散部材に関し、特に、消臭効果又は消臭・抗菌効果に優れた芳香消臭器及び芳香消臭器用吸上揮散部材に関する。
【背景技術】
【０００２】
家庭やマイカー等の室内空間の臭気による不快感をなくし、快適な空間を生み出すために、芳香剤を自然に揮散させる小型の芳香器が広く使用されている。
【０００３】
この芳香器には、ゲル状、固形状、液状などの芳香剤が用いられている。液状の芳香剤（芳香液）を用いる芳香器は、一般に、上部に開口部を有し芳香液を収納する容器と吸上揮散部材とを備え、吸上揮散部材の一端部が芳香液に浸漬され、他端部が容器の開口部から室内空間部に露出可能に構成されている。吸上揮散部材による吸上揮散には、通常毛細管現象が利用されており、吸上部で芳香液を吸い上げ、揮散部で空気中に芳香液を揮散させるようになっている。そのため、吸上揮散部材には、例えば、フエルトなどの不織布、パルプや合成繊維等の繊維質の材料が軽く固められた吸水性のあるものが利用されている。
【０００４】
図３は、本出願人が提案した従来の芳香器の１例である「薬剤揮散用容器」を示す図であり、（ａ）は全体の構成を示す断面図、（ｂ）は（ａ）に示した保持枠に、帯状の吸上揮散部材が取り付けられた状態を示す断面図である（特許文献１）。図３（ａ）に示したように、この薬剤揮散用容器１は、容器３の首部１４の上部にキャップ７が螺合されている。キャップ７には、その上端部で回転可能に連結された心材に保持枠８が取り付けられている。また、上端部には、嵌合孔９ａが設けられた連結部９が形成されており、キャップ７の頂部内面から突き出して設けられたボス７ａに嵌合孔９ａが嵌合され、回転可能に連結されている。ボス７ａは、先端頭部７ｂが、三つ割り状の爪形に成形され、各爪の外面には、戻り止めの段部７ｃが形成されている。したがって、嵌合孔９ａを先端頭部７ｂに圧入すれば、段部７ｃが、連結部９の下面外周縁と係合して軸方向には抜け出ることなく、回転可能になっている。連結部９の下面両側には、補強板９ｂが形成され、この補強板９ｂからは、容器３の内部下方まで延びる外枠８ａが形成されている。この外枠８ａの下端部には、外枠から外方に突出する係止部８ｂが形成され、保持枠８を引き上げる際、保持枠８が容器３の首部１４に係止し、保持枠８が抜け出ないようになっている。
【０００５】
保持枠８への吸上揮散部材５の取り付け方の１例は、図３（ｂ）に示したとおりであり、吸上揮散部材５のうち、符号５ａで示す部分が吸上部、符号５ｂで示す部分が揮散部である。この吸上揮散部材５が取り付けられた保持枠８を、芳香液が収容された薬剤収納容器１に取り付け、保持枠８を引き上げることにより、芳香液が空気中に揮散するようになっている。
【０００６】
芳香液の揮散器としては、その他のいくつかのタイプが提案されている（例えば、特許文献２、３）。
【０００７】
上記の芳香液の揮散器を用いることによって、芳香液を揮散させることが可能であり、室内空間を芳香剤の香りで満たすことができる。しかし、悪臭がある場合には、芳香剤で悪臭を消すことは容易ではない。この問題を解決するために、出願人は、消臭効果に優れた「芳香器及び芳香器用吸上揮散部材」を提案した（特許文献４）。
【０００８】
図４は、特許文献４に開示されている芳香器に用いられる吸上揮散部材の構成を示す図であり、（ａ）は斜視図、（ｂ）は（ａ）に示したＩＸｂ−ＩＸｂ’切断線における断面図である。特許文献４に開示されている吸上揮散部材５Ａの場合には、両面に被覆層１１Ａを備えた繊維層１２Ａ内に、粒状の活性炭１３Ａが保持されており、この活性炭１３Ａによって悪臭を除去することができるようになっている。
【０００９】
消臭効果又は消臭・抗菌効果を有する材料については、いくつかの提案が行われている（例えば、特許文献５〜７）。
【００１０】
特許文献５に開示されている「消臭性複合繊維」は、ＳｉＯ２、ＭＯ２／ｎ（Ｍ：Ｃｕ、Ａｇなど）、Ａｌ２Ｏ３を含む酸化物が複合繊維として用いられており、酸化物のうち、ＭＯ２／ｎ（アルミノケイ酸塩）が、鞘／芯型複合構造の鞘部分に２〜２０％配合されたものである。この繊維の場合には、消臭効果が速やかに発揮され、効果の持続性に優れているとされている。
【００１１】
特許文献６に開示されている「除菌・抗菌シート」は、非親水性の波状シートと親水性のフラットシートとの間に、表面に、銅及び銀が塗布された砂状の粒を含むものである。このシートの場合には、銅及び銀が粒の表面にコーティングされているので、銅及び銀による除菌・抗菌効果を備えているとされている。
【００１２】
特許文献７に開示されている「銀メッキ繊維を含む不織布」は、抄紙用短繊維に、銀メッキされた繊維の裁断物を混ぜて抄紙することによって製造されたものである。抗菌性のほかに、電磁波シールド性などいくつかの効果が得られるとされている。
【００１３】
最近、いっそう消臭効果又は消臭・抗菌効果に優れた芳香消臭器が要望されている。出願人が特許文献４により提案した芳香器においても、消臭効果については所定の効果を得ることが可能であるが、さらに向上させることが望まれている。また、特許文献５〜７などに消臭又は抗菌効果を備えた材料が提案されているが、それらを単に液体の芳香液を用いる芳香器に適用したとしても、消臭効果又は消臭・抗菌効果に優れた芳香消臭器を得ることは難しい。
【特許文献１】登録実用新案第３０２０４５９号公報
【特許文献２】実用新案公報昭４２−２１２８０号公報
【特許文献３】米国特許第２６１６７５９号公報
【特許文献４】特開２００５−３２９号公報
【特許文献５】特開平５−１４８７１８号公報
【特許文献６】特開平１０−１１９１８５号公報
【特許文献７】特開平１１−２５６４９４号公報
【発明の開示】
【発明が解決しようとする課題】
【００１４】
本発明は、上記従来の課題を解決するためになされたものであって、消臭効果、さらには消臭・抗菌効果に優れた芳香消臭器及び芳香消臭器用吸上揮散部材を提供することを目的としている。
【課題を解決するための手段】
【００１５】
本発明に係る芳香消臭器は、開口部を有する芳香液容器と、該芳香液容器内に収容された芳香液と、吸上機能及び揮散機能を備えた吸上揮散部材とを含み、前記吸上揮散部材の少なくとも一部が前記芳香液に浸漬され、更に前記吸上揮散部材の少なくとも一部が前記開口部から空気中に露出可能に又は露出されて設けられ、少なくとも前記吸上揮散部材の一部の表層部に、多孔質体を含むコーティング部が形成されていることを特徴としている。本発明において、前記吸上揮散部材は、吸上機能及び揮散機能を備えている限り、吸上機能を有する吸上部と、揮散機能を有する揮散部は、明確に区別されて存在していることは必ずしも必要でない。即ち、前記吸上揮散部材において、前記吸上部と前記揮散部は、一連となり一体化されて構成されていてもよく、また、前記吸上部と前記揮散部は、分離して存在し、使用時に前記吸上部と前記揮散部が接触するように構成されていてもよい。
【発明の効果】
【００１６】
上記芳香消臭器は、少なくとも、吸上揮散部材の揮散部における表層部に多孔質体を含むコーティング部が形成されていることが望ましく、このような態様を採ることにより、多孔質体が室内雰囲気などの外気と直接接触することができる。そのため、多孔質体による極めて優れた消臭効果を得ることができる。したがって、室内空間などに悪臭がある場合でも、悪臭を除去することができるとともに芳香を漂わせることが可能であり、快適な室内空間を生み出すことができる。
【００１７】
また、本発明に係る芳香消臭器は、上記芳香消臭器においては、多孔質体が金属イオンを担持したものとすることができる。
【００１８】
多孔質体が金属イオンを担持している場合には、金属イオンの抗菌効果が加味されるため、とくに優れた消臭・抗菌効果が発揮される。銀イオンなどの金属イオンは、微生物の増殖を抑制する効果があるので、吸上揮散部材上の微生物の増殖を防止する抗菌効果が発揮される。さらに、多孔質体内に悪臭成分が吸着されると、金属イオンによって中和、分解されるので、多孔質体の消臭効果がより長く持続するという効果が得られる。また、多孔質体の金属イオンが徐々に遊離して、揮散部の内部にも広がって存在するので、ほぼ揮散部全体が消臭体となり、消臭効果がいっそう向上するという効果も得られる。そのほか、消臭・抗菌効果を表示するインジケータ効果が得られる。また、金属イオンを担持させた多孔質体による、芳香液の変質を抑制する効果が得られる。限定的な解釈を望むものではないが、このインジケータ効果は、金属イオンと悪臭成分中の硫黄化合物などとの反応により、例えば硫化物が生成し、その発色（変色）現象によってもたらされるものであると考えられる。したがって、その発色（変色）は、芳香消臭器の消臭効果又は消臭・抗菌効果を表すものであるので、芳香消臭器の効果を視覚的に把握することが可能であり、使用者に対して、消臭効果又は消臭・抗菌効果が発揮されているという安心感を与える長所がある。
【００１９】
また、本発明に係る芳香消臭器は、上記芳香消臭器において、前記吸上揮散部材における少なくとも前記揮散部が、表面及び裏面の被覆層と、これらの被覆層に挟まれた繊維層とで構成されており、前記コーティング部が少なくとも１面側の前記被覆層に形成されたものとすることができる。
【００２０】
上記のように、吸上揮散部材が被覆層を備え、コーティング部が被覆層に形成されている場合には、被覆層によって吸上揮散部材の形状が保持されるとともに、被覆層に対して効果的に多孔質体を含ませることができる。そのため、消臭効果又は消臭・抗菌効果がより優れた芳香消臭器を得ることができる。
【００２１】
また、本発明に係る芳香消臭器は、上記芳香消臭器において、前記金属イオンが、銀イオン、亜鉛イオン、マグネシウムイオン、錫イオン、鉄イオン、ニッケルイオン、白金イオン、金イオン、ナトリウムイオン、カルシウムイオン、カリウムイオン及び銅イオンのうちの少なくとも１つとすることができる。
【００２２】
また、本発明に係る芳香消臭器は、上記芳香消臭器において、前記多孔質体をゼオライトとすることができる。
【００２３】
また、本発明に係る芳香消臭器は、上記芳香消臭器において、前記金属イオンが銀イオンであり、前記多孔質体がゼオライトとすることができる。
【００２４】
また、本発明に係る芳香消臭器は、上記芳香消臭器において、前記コーティング部に含まれる前記多孔質体の量を、約０．１ｇ／ｍ２〜約１０ｇ／ｍ２の範囲とすることができる。
【００２５】
芳香消臭器が上記のような特に適した条件に設定されている場合には、前述の消臭・抗菌効果がもっともよく発揮される。
【００２６】
本発明に係る芳香消臭器用吸上揮散部材は、揮散部と吸上部とを備えており、少なくとも前記吸上揮散部材における表層部の一部に、多孔質体を含むコーティング部が形成されていることを特徴としている。
【００２７】
また、本発明に係る芳香消臭器用吸上揮散部材は、上記芳香消臭器用吸上揮散部材において、前記多孔質体が金属イオンを担持したものとすることができる。
【００２８】
また、本発明に係る芳香消臭器用吸上揮散部材は、上記芳香消臭器用吸上揮散部材において、前記多孔質体がゼオライトであり、前記金属イオンが銀イオンであるものとすることができる。
【００２９】
上記芳香消臭器用吸上揮散部材は、上記芳香消臭器に用いられている吸上揮散部材と同様な構成であるので、同様な吸上揮散部材が用いられている芳香消臭器の場合とほぼ同様な効果を得ることができる。
【発明を実施するための最良の形態】
【００３０】
以下、本発明の実施の形態に係る芳香消臭器及び芳香消臭器用の吸上揮散部材を、図面を参照し具体的に説明する。説明に用いる図面においては、同一又は同種の部分に同じ番号を付して説明を省略することがある。
【００３１】
図１は、実施の形態に係る芳香消臭器の構成を示す図であり、（ａ）は全体の構成を示す断面図、（ｂ）は（ａ）に示した保持枠に、帯状の吸上揮散部材が取り付けられた状態を示す断面図である。また、図２は、芳香消臭器に用いられる吸上揮散部材の１例を示す図であり、（ａ）は吸上揮散部材の外観を示す斜視図、（ｂ）は吸上部の構成を示す模式的断面図である。なお、図２（ｂ）は、図２（ａ）に示したＩＩｂ−ＩＩｂ’切断線における断面図である。
【００３２】
実施の形態に係る芳香消臭器１０は、上部に開口部を有する芳香液容器（以下、容器と略記することがある）３と、容器３内に収容された芳香液（図示省略）と、吸上部６ａ及び揮散部６ｂで構成された吸上揮散部材６とを備え、吸上揮散部材６における吸上部６ａの少なくとも一部が芳香液に浸漬され、揮散部６ｂが開口部を介して空気中に露出可能となっている。また、少なくとも揮散部６ｂにおける表層部１１の一部には、多孔質体１３を含むコーティング部が形成されている。
【００３３】
上記のように、図１に示した芳香消臭器１０は、図３に示した芳香消臭器１に対して、吸上揮散部材のみが相違している。このように、芳香消臭器１０の容器３には、従来の芳香器に用いられている容器を利用することが可能であり、図１又は図３に示した容器以外の容器を用いることもできる。
【００３４】
図１に示したように、実施の形態に係る芳香消臭器１０は、容器３の上部に位置する首部１４の内側が開口部となっており、首部１４の上部外周部にキャップ７が螺合するようになっている。また、キャップ７には、その上端部で回転可能に連結された吸上揮散部材６の保持枠８が取り付けられている。この保持枠８の上端部には、嵌合孔９ａが設けられた連結部９が形成されており、キャップ７の頂部内面から突き出して設けられたボス７ａに嵌合孔９ａが嵌合され、回転可能に連結されている。ボス７ａは、先端頭部７ｂが、三つ割り状の爪形に成形され、各爪の外面には、戻り止め用の段部７ｃが形成されている。したがって、嵌合孔９ａが先端頭部７ｂに圧入されると、段部７ｃが、連結部９の下面外周縁と係合して軸方向に抜けることなく回転可能になっている。連結部９の下面両側には、補強板９ｂが形成され、この補強版９ｂからは、容器３の内部下方まで延びる外枠８ａが形成されている。この外枠８ａの下端部には、外枠から外方に突出する係止部８ｂが形成され、保持枠８を引き上げた際、保持枠８が容器３の首部１４に係止し、保持枠８が抜け出さないようになっている。
【００３５】
保持枠８への吸上揮散部材６の取り付け方の１例は、図１（ｂ）に示したとおりであり、吸上揮散部材６は、吸上部６ａ及び揮散部６ｂを備えている。この吸上揮散部材６が取り付けられた保持枠８が、芳香液が収容された容器１に取り付けられた状態で、保持枠８が引き上げられると、芳香液が吸上揮散部材６の揮散部６ｂから空気中に揮散されるとともに、空気中の臭い成分が揮散部６ｂを介して吸収され、吸上揮散部材６が有する消臭作用によって消臭されるようになっている。
【００３６】
図２に１例を示したように、吸上揮散部材６は、形状がほぼ帯状で、芳香液を吸い上げる吸上部６ａと芳香液を揮散させ、臭い成分を吸収する揮散部６ｂとで構成されている。吸上揮散部材６は、芳香液の吸上・揮散効果に優れた繊維層１２で主に全体が構成されており、繊維層１２は植物繊維やパルプなどの天然繊維、レーヨン、ポリエステル、ＰＥＴ（ポリエチレンテレフタレート）、ＰＰ（ポリプロピレン）などの合成繊維又はそれらの混合繊維などの繊維質材料で構成することができる。特に、繊維層１２としては、スパンボンド法、スパンレース法などによって製造される不織布が好適であり、この繊維層１２は、バインダとしての働きをする熱融着性の繊維によって、全体の形が保持されている。この他、織物、編物などの層であってもよい。なお、吸上揮散部材６の厚さは特に限定されないが、容器３の大きさ、取り扱い性、消臭効果などの観点から、約２〜約２０ｍｍ程度が好ましい。特に、全体の形状が帯状で、折り畳むように曲げる必要がある場合には、目付けにもよるが、厚さ約１０ｍｍ以下が好ましく、揮散部６ｂに関しては厚さ約２０ｍｍまでとすることができる。
【００３７】
また、繊維層は必ずしも繊維質材料の層で構成されていなくてもよい。例えば、編織物、発泡ウレタンなどの合成樹脂製のスポンジ材料を用いることもできる。
【００３８】
繊維層１２の表面には、図２（ｂ）に示したように、被覆層１１が設けられていることが好ましい。被覆層１１は、例えば、薄いレーヨンで構成され、内部の繊維層１２を構成する繊維質材料の形状を保持する機能を有するとともに、吸上揮散部材６に引張りなどの外力に耐える強度を与える効果を有している。強度が必要な場合があるのは、吸上揮散部材６には、多孔質体１３を含むコーティング部が形成され、コーティング部の形成などの際に外力が作用し、そのような外力に耐える性質が要求されることがあるからである。このほか、被覆層１１には、後に説明するように、多孔質体１３をより効果的に保持することができるという利点がある。
【００３９】
上記被覆層１１は、レーヨン、ポリエステル、ＰＥＴ（ポリエチレンテレフタレート）、ＰＰ（ポリプロピレン）などの合成繊維で構成することが好ましく、特にＰＥＴが強度、コーティング部の形成などの点で好適である。また、被覆層１１の目付量は、コーティング部の形成の際に必要な強度、コーティング部における多孔質体１３の保持などの観点から、約２０〜約２００ｇ／ｍ２であることが好ましい。また、後に説明するグラビア印刷でコーティング部を形成する場合には、被覆層１１の引張り強度は、吸上揮散部材６の幅５ｃｍに対して０．０６Ｎ（約６ｋｇｆ）以上の力が作用するので、０．０６Ｎ（約６ｋｇｆ）以上とすることが好ましい。
【００４０】
コーティング部は、少なくとも揮散部６ｂの一部に形成されている。揮散部６ｂに加えて、吸上部６ａに形成されていてもよい。また、コーティング部は、揮散部６ｂ又は揮散部６ｂ及び吸上部６ａにおける、必ずしも全面に形成されている必要はなく、部分的に形成されていてもよい。また、コーティング部は、繊維層１２に被覆層１１が設けられている場合には、主として被覆層１１の表層部に形成され、内部の繊維層１２に及ぶ場合もある。繊維層１２に被覆層が設けられていない場合には、繊維層１２の表層部に直接コーティング部が形成される。
【００４１】
吸上揮散部材６に関しては、全体の形状がほぼ帯状の例を示したが、吸上揮散部材の形状は帯状に限定されない。筒状、紐状など、芳香液の吸上げ、揮散効果を有する形状であれば利用可能である。また、吸上部と揮散部とが連続して一体化されている例を示したが、吸上部と揮散部とは切り離されており、使用時に両者が接触し、芳香液が吸上部から揮散部に移動するように構成されるものでもよい。
【００４２】
吸上部及び揮散部が分離して存在し、使用時にこれらが接触するように構成された吸上揮散部材を有する芳香消臭器について、その具体的態様の一例を図５に示す。図５の(a)は使用前の状態を示しており、(b)は使用時の状態を示している。即ち、使用前である図５の(a)では、吸上部６ａは、容器３の開口部に設けられた支持部材１５により保持されて、吸上部６ａの先端の一部が容器３の開口部から突出した状態で存在し、容器３の開口部から突出した吸上部６ａを覆うようにキャップ１６が開口部の外周に螺合している。この容器３の上部に、揮散部６ｂを支持した揮散部支持部材１７が、取り外し可能な状態で固定されており、揮散部６ｂが揮散部支持部材１７に支持された状態で容器の開口部から露出して設けられている。そして、使用時には、容器３から揮散部支持部材１７を取り外し、キャップ１６を取り除いて、再度、容器３と揮散部支持部材１７とを固定することにより、図５の(b)に示す状態となり、容器３の開口部から突出している吸上部６ａの先端が、揮散部支持部材１７に支持されている揮散部６ｂと接触する状態となり、芳香液が吸上部６ａから揮散部６ｂに移動可能となる。図５の(b)において、揮散部支持部材１７に設けられた凸部１７ａが、容器３の溝部３ａに填め込まれて、揮散部支持部材１７と容器３が上記所定の位置で固定されている。図５の(a)及び(b)において、揮散部支持部材１７と容器３の位置決め及び固定は、揮散部支持部材１７に設けられた凸部１７ａが、容器３に設けられた複数の溝部３ａの内の所定の溝部に填め込まれることによって為されるように構成されている。このように、吸上部と揮散部が使用時に接触するように構成されている場合には、揮散部の形状は、ブロック状、円板状、その他より複雑な形状など、様々な形状を採用することができる。
【００４３】
コーティング部（多孔質体１３で示された領域）に含まれる多孔質体１３には、一般に市販されているものを利用することができる。例えば、微粒状のゼオライトなどが好適である。表１に、市販されているゼオライト（商品名：ゼオミック、品番：ＷＨＤ１０ＮＳ、株式会社シナネンゼオミック）の物性の１例を示す。
【００４４】
【表１】
0005191095.tif 000002
【００４５】
表１に示したゼオライトは、平均粒径が０．６〜２．５μｍ、平均細孔径が３〜１０Åと極めて小さく、比表面積が６００ｍ２／ｇと大きいため優れた消臭性能を有している。吸上揮散部材６の表面層のコーティング部は、ゼオライトのような多孔質体１３を含んでいるので、優れた消臭効果を発揮することができる。なお、多孔質体１３の平均粒径は、約４０μｍ以下であることが好ましい。平均粒径が約４０μｍを超える場合には、コーティング部に多孔質体１３を付着させることが難しい。
【００４６】
吸上揮散部材６のコーティング部に含まれる多孔質体１３の量は、約０．１〜約１０ｇ／ｍ２であることが好ましい。約１ｇ／ｍ２未満の場合には、消臭効果が小さく、約７ｇ／ｍ２を超える場合には、製造上、コーティング部に多孔質体１３を付着させることが難しい。
【００４７】
多孔質体１３としてゼオライトの例を示したが、多孔質体１３はゼオライトに限定されない。消臭効果を有するものであれば利用可能であり、例えば、微粒状の活性炭、珪藻土、炭化焼成物、アルミナ、シリカゲル、セルロースビーズ、活性白土などを用いることができる。
【００４８】
さらに、多孔質体６は、銀イオン、亜鉛イオン、銅イオン、マグネシウムイオン、錫イオン、鉄イオン、ニッケルイオン、白金イオン、金イオン、ナトリウムイオン、カルシウムイオン、カリウムイオンなどの金属イオンを担持していることが好ましい。多孔質体１３が金属イオンを担持している場合には、優れた消臭・抗菌効果が発揮される。銀イオンなどの金属イオンは、微生物体の表面に吸着して菌体内に移動し、微生物体内の酵素と反応する。その結果、微生物体内における代謝系の酵素の働きが阻害され、微生物の増殖が抑制されるために抗菌効果が発揮されるとされている。なお、多孔質体１３が金属イオンを担持している場合には、アンモニウムイオンを担持していることが好ましい。金属イオンとともにアンモニウムイオンを担持している場合には、銀イオン等の金属イオンがより安定化される。
【００４９】
したがって、多孔質体１３が、このような金属イオンを担持している場合には、芳香消臭器１によって、吸上揮散部材上の微生物の増殖を防止する抗菌効果が発揮される。さらに、多孔質体内に悪臭成分が吸着されると、金属イオンによって中和、分解されるため、多孔質体１３の消臭効果がより強く、長く持続するという効果が得られる。また、多孔質体１３の金属イオンが遊離して、揮散部６ｂの内部にも広がって存在するので、ほぼ揮散部全体が消臭体となり、いっそう消臭効果が向上するという効果も発揮される。
【００５０】
芳香消臭器１に、金属イオンを担持した多孔質体１３が用いられる場合には、上記の効果のほかに、次の効果を得ることができる。例えば、多孔質体が金属イオンを担持していることによる芳香液の安定化である。一般に、芳香液は、時間が経過するとともに性質が変化し、香調の変質、物性の変化、可溶化の崩れや変色が生じる傾向がある。しかし、吸上部６ａの表層部に多孔質体１３がコーティングされ、多孔質体１３が金属イオンを含んでいる場合には、経時的に芳香液中に遊離し、芳香液の変質が抑制される。また、多孔質体１３が芳香液に浸漬されていると、多孔質体１３が芳香液中の防腐剤成分を吸着するので、防腐効果が低下するおそれがある。しかし、多孔質体１３が金属イオンを担持している場合には、金属イオンが防腐効果を発揮するので、芳香液中の防腐剤を減らすことが可能であり、さらには防腐剤を配合しないようにすることができる。
【００５１】
さらに、特筆される点は、金属イオンを担持していることによるインジケータ効果である。吸上吸収部材６が金属イオンを担持した多孔質体を含む場合、多孔質体が硫黄化合物等の悪臭成分を吸着すると、金属イオンが硫黄化合物等と反応して硫化物を生成し、吸上揮散部材６が発色（変色）するという現象が生じる。その発色（変色）は、芳香消臭器１の消臭効果又は消臭・抗菌効果を表すものであるので、芳香消臭器１の効果を視覚的に把握することができる。そのために、使用者に対して、消臭効果又は消臭・抗菌効果が発揮されているという安心感を与える効果がある。
【００５２】
このように、金属イオンを担持した多孔質体１３を用いる場合には、従来の芳香器では得ることができなかった様々な優れた効果を得ることができる。特に、銀イオンを担持したゼオライトを使用することによって、上記の各種効果を一層顕著ならしめることが可能になる。
【００５３】
金属イオンを担持した多孔質体において、金属イオンの担持量については制限されないが、通常、金属イオンを担持した多孔質体の総量に対して、金属イオンが（０．１〜２０）重量％、好ましくは（０．５〜１０）重量％となる割合であればよい。
【００５４】
金属イオンを担持した多孔質体の製造方法は、例えば、特開昭６３−２５８８０９号公報等に記載されており、公知の方法に従って製造することができる。該製造方法として、具体的には、多孔質体中のイオン交換可能なイオンの一部又は全部を金属イオンで置換する方法が例示される。
【００５５】
吸上揮散部材６は、次の方法によって製造することができる。吸上揮散部材６の繊維層１２構成する主な繊維は、前述のように植物繊維やパルプなどの天然繊維、人造繊維又はそれらの混合繊維などであり、はじめに、それらの繊維質材料を砕いて短くする。その繊維質材料に熱融着性繊維をできるだけ均一に混合する。この混合物により、例えば、シート状のウエブを形成する。被覆層１１を形成する場合には、さらにその両面に、例えば、薄いレーヨンなどの繊維を重ね合わせる。次に、被覆層１１でサンドイッチされたウエブを熱融着性繊維の溶融温度より高い温度であって、その他の材料が熱による損傷を受けない温度以下に加熱する。この加熱によって、繊維層１２の形が保持された吸上揮散部材６の繊維層１２を形成することができる。
【００５６】
熱融着性繊維としては、例えば、高密度ポリエチレン繊維（融点約１３１℃）、ポリプロピレン繊維、ポリ塩化ビニル繊維等を使用することができる。なお、バインダには、熱融着性繊維以外に、液状のバインダを利用することもできる。
【００５７】
吸上揮散部材６の表層部のコーティング部は、次の方法によって形成することができる。コーティング方法としては、凹部にコーティング液を付けて転写する凹版印刷（例えば、グラビア印刷）、凸部にコーティング液を付けて転写する凸版印刷（例えば、オフセット印刷）、コーティング液を噴霧状にして塗布するスプレー塗布などが好適である。その他、シルク印刷、スクリーン印刷、刷毛により塗布、水転写などの方法を用いることができる。グラビア印刷を利用する場合には、インクとしてコーティング液を用いる。コーティング液は、例えば、多孔質体、バインダ、浸透剤、消泡剤及び水によって構成することができる。具体的には、多孔質体、アクリル系のバインダ、浸透剤（例えば界面活性剤等）、消泡剤（例えば鉱物油等）及び水等をそれぞれ所定量混合することにより調製する。このコーティング液には、吸上揮散部材６におけるコーティング部が識別できるように、着色顔料を添加してもよい。
【００５８】
吸上揮散部材が帯状である場合には、前述のように、所定の引張り力に耐える素材としておき、転写用ロールに接触させた状態で吸上揮散部材を連続的に移動させながら、転写用ロールによって、インク槽内のコーティング液を吸上揮散部材に転写する。その後、吸上揮散部材を加熱乾燥することによって、多孔質体１３を含むコーティング部を形成することができる。なお、コーティング部は、繊維層１２が被覆層１１を備えている場合には、繊維層１２にコーティング部を形成した後、被覆層１１を繊維層１２に貼り合せてもよい。
【００５９】
吸上揮散部材６が繊維層１２のみで構成されている場合には、多孔質体１３は、主として繊維に付着した状態でコーティング部に保持されると考えられる。また、繊維層１２が被覆層１１を備え、被覆層１１が繊維で構成されている場合には、多孔質体１３は、主として被覆層１１の繊維に付着した状態でコーティング部に保持されると考えられる。コーティング部の繊維量が少ない場合には、多孔質体１３を十分に保持することができないので、コーティング部の繊維量は、所定の目付量であることが好ましい。その目付量は、例えば、前述のように、約２０〜約５０ｇ／ｍ２である。
【実施例】
【００６０】
以下、試験例を挙げて本発明を説明するが、本発明はこれらに限定されるものではない。
試験例１  消臭効果の確認
ゼオライトを含むコーティング部を形成させた吸上揮散部材を用いた芳香消臭器について消臭効果を以下の方法に従って評価した。
【００６１】
４００ｍｌ容の芳香液容器に芳香液４００ｍｌを入れて、芳香液容器の開口部から吸上揮散部材を挿入し、吸上揮散部材の一部を芳香液に浸漬させると共に、吸上揮散部材の一部を容器の開口部から空気中に露出させることにより、芳香消臭器を製した。なお、本試験に使用した吸上揮散部材及び芳香液は以下に示す通りである。
【００６２】
＜吸上揮散部材＞
銀イオン担持ゼオライト（商品名：ゼオミック、品番：ＷＨＤ１０ＮＳ、株式会社シナネンゼオミック；銀イオン担持量：約１．５重量％）４０重量％、アクリル系バインダ１０重量％、及び界面活性剤１．６重量％、を含むコーティング液を調製した。このコーティング液を、グラビア印刷の手法に従って、繊維基材の表面及び裏面の双方に対して塗布した後、乾燥させることにより、繊維基材の表面及び裏面に、銀イオン担持ゼオライトを４ｇ／ｍ２又は６ｇ／ｍ２の割合で含むコーティング部を形成させた。次いで、これを所定の形状（縦３９０ｍｍ、横３２．５ｍｍ）に裁断して、吸上揮散部材を製した。なお、本吸上揮散部材に使用した繊維基材は、目付量約５４０ｇ／ｍ２のパルブの繊維層の表面及び裏面に、目付量３０ｇ／ｍ２のＰＥＴ製不織布が被覆層として形成されているもの（以下、これを「ＰＥＴ製不織布被覆繊維」と表記する）である。
【００６３】
＜芳香液処方＞
単位（重量％）
香料                                              1.5
3-メチル-3-メトキシー１−ブタノール               3
ポリオキシエチレンアルキルエーテル
（商品名「サンノニックSS-120」（三洋化成工業社製）3
防腐剤                                            0.03
消臭剤                                            0.1
イオン交換水                                      適量      
合計                                            100重量％
この芳香消臭器を分析用エアバッグ内に入れ、エアバック内を脱気した後、バッグ内の容積が５リットルになるように空気を流入させた。次いで、エアバック内に、悪臭源として、トリメチルアミン、硫化水素、メルカプタン又はアセトアルデヒドを導入して、悪臭源導入後２４時間の間、各悪臭源のエアバッグ内の濃度を、ガステック社製検知管を用いて測定した。なお、エアバック内に導入した各悪臭源の濃度は、次の通りである：トリメチルアミンは６００ｐｐｍ；硫化水素は６０ｐｐｍ；メルカプタンは１００ｐｐｍ；アセトアルデヒドは１５０ｐｐｍ。また、比較のため、銀イオン担持ゼオライトのコーティング部を形成させた吸上揮散部材の代わりに、ＰＥＴ製不織布被覆繊維を所定の形状（縦３９０ｍｍ、横３２．５ｍｍ）に裁断したもの；及びＰＥＴ製不織布被覆繊維１００ｇ中に、活性炭（粒径２０−７０メッシュ、細孔径約１０Å、製造元クラレケミカル）を１３．６ｇの割合で分散させて、これを所定の形状（縦３９０ｍｍ、横３２．５ｍｍ）に裁断したものを吸上揮散部材として使用して、同様に試験を行った。
【００６４】
得られた結果を図６に示す。この結果から、吸上揮散部材に銀イオン担持ゼオライトを含むコーティング部を形成させることにより、悪臭源を効果的に消失できることが分かった。
【００６５】
試験例２  インジケータ機能の確認
銀イオン担持ゼオライトを含むコーティング部を有する吸上揮散部材について、悪臭吸収後の色調変化の有無を確認するために、以下の試験を行った。
【００６６】
上記試験例１と同様の方法でＰＥＴ製不織布被覆繊維の表面及び裏面に、銀イオン担持ゼオライトを２ｇ／ｍ２又は６ｇ／ｍ２含むコーティング部を形成させた。その後、所定形状（縦約５．５ｍｍ、横約３．５ｍｍ）に裁断して、吸上揮散部材を製した。次いで、得られた吸上揮散部材を、芳香液が１０ｍｌ添加されている１００ｍＬ容の容器に入れて、吸上揮散部材の一部を芳香液に浸漬させると共に、吸上揮散部材の一部を空気中に露出させた。これを分析用エアバッグ内に入れ、エアバック内を脱気した後、バッグ内の容積が５リットルになるように空気を流入させた。次いで、エアバック内に、悪臭源として、硫化水素又はメチルメルカプタンを１００ｐｐｍとなるように導入して、２４時間室温で放置した。本試験で使用した芳香液は、上記試験例１で使用したものと同組成である。比較のため、銀イオン担持ゼオライトを含むコーティング部を形成させた吸上揮散部材の代わりに、ＰＥＴ製不織布被覆繊維を所定の形状（縦５．５ｍｍ、横３．５ｍｍ）に裁断したものを用いて同様に試験した。また、容器内に芳香液を添加しなかった場合についても、同様に試験を行った。
【００６７】
悪臭源の導入前及び導入２４時間後の各吸上揮散部材の色調を目視で確認したところ、銀イオン担持ゼオライトを含むコーティング部を有する吸上揮散部材では、芳香液の有無に拘わらず、悪臭導入後に灰色〜褐色に変色することが確認された（図６７参照）。これに対して、銀イオン担持ゼオライトを含まないＰＥＴ製不織布では、悪臭導入後でも、色調に変化は認められなかった（図７参照）。以上の結果から、銀イオン担持ゼオライトを含むコーティング部を有する吸上揮散部材を使用することによって、悪臭を吸収の有無を目視で認識することが可能となることが明らかとなった。また、銀イオン担持ゼオライトの含有量が多い程、悪臭吸収による色調変化が顕著に現れることも明らかとなった。
【００６８】
試験例３  芳香液の安定性の確認
一般に、芳香液は、保存安定性に乏しく、長時間保存すると香りの変質や消失が起きることが知られている。この香りの変質や消失は、芳香液の液性を評価することにより判定可能である。そこで、銀イオン担持ゼオライトを含むコーティング部を有する吸上揮散部材が、芳香液の安定性に及ぼす影響について評価するために、以下の試験を行った。
【００６９】
上記試験例１と同様の方法で、ＰＥＴ製不織布被覆繊維の表面及び裏面に、銀イオン担持ゼオライトを４ｇ／ｍ２又は６ｇ／ｍ２の割合で含むコーティング部を形成させた。その後、所定の形状（約５ｃｍ×約３．３ｃｍ）に裁断して、吸上揮散部材を製した。次いで、得られた吸上揮散部材を、芳香液が５０ｍｌ添加されている１４０ｍｌ容の容器に入れ、芳香液中に浸漬させて、容器に蓋をして密閉し、５０℃で１ヶ月間保存した。５０℃保存前、５０℃保存１週間後、及び５０℃保存１ヶ月後に、芳香液の液性について測定を行った（試験例3-1及び3-2）。また、比較のため、銀イオン担持ゼオライトを含むコーティング部を有する吸上揮散部材の代わりに、ＰＥＴ製不織布被覆繊維を所定の形状（約５ｃｍ×約３．３ｃｍ）に裁断したものを用いて同様に試験した（比較試験例3-1）。また、吸上揮散部材を添加せずに、芳香液のみを５０℃で保存したものについても、同様に液性の測定を行った（比較試験例3-2）。
【００７０】
得られた結果を表２に示す。この結果から、銀イオン担持ゼオライトを含むコーティング部を有する吸上揮散部材を、芳香液に浸漬させることにより、芳香液の変質が抑制されることが分かった。一方、銀イオン担持ゼオライトを含まない吸上揮散部材では、芳香液のｐＨが変化し、芳香液の変質を抑制できないことが確認された。
【００７１】
【表２】
0005191095.tif 000003
【００７２】
試験例４  抗菌効果の確認
銀イオン担持ゼオライトを含むコーティング部を有する吸上揮散部材について、抗菌効果を評価するために、被験菌としてStaphylococcus aureus、Escherichiacoli、及びPseudomonas aeruginosaを用いて以下の試験を行った。
【００７３】
上記試験例１と同様の方法で、ＰＥＴ製不織布被覆繊維の両面に、銀イオン担持ゼオライトを４ｇ／ｍ２又は６ｇ／ｍ２割合で含むコーティング部を形成させた。その後、約１ｃｍ角状に裁断して、吸上揮散部材を製した。次いで、ソイビーン・カゼイン・ダイジェスト（ＳＣＤ）寒天平板培地（20ｍLを直径９ｃｍのシャーレに分注）上に、各被験菌を
含む菌液（１×１０８ｃｆｕ／ｍｌ）５０μｌを接種し、培地が乾燥した時点で、上記吸上揮散部材のコーティング部が培地と接触するように、上記吸上揮散部材を培地上に置いた。その後、３５℃で１８時間培養を行って、培地上に形成された阻止円の大きさを測定した。また、比較のため、銀イオン担持ゼオライトを含むコーティング部を有する吸上揮散部材の代わりに、ＰＥＴ製不織布（目付量：３０ｇ／ｍ２）を直径約１ｃｍ角に裁断したものを用いて同様に試験した。
【００７４】
得られた結果を表３に示す。この結果から、銀イオン担持ゼオライトを含むコーティング部を形成させることにより、抗菌効果が得られることが分かった。従って、銀イオン担持ゼオライトを含むコーティング部を有する吸上揮散部材を使用することによって、浮遊菌が多く存在している環境でも、吸上揮散部材や芳香液に雑菌が繁殖するのを抑制して、芳香消臭効果を有効に発現できることが確認された。
【００７５】
【表３】
0005191095.tif 000004
【図面の簡単な説明】
【００７６】
【図１】本発明の実施の形態に係る芳香消臭器を示す図であり、（ａ）は全体の構成を示す断面図、（ｂ）は（ａ）に示した保持枠に、帯状の吸上揮散部材が取り付けられた状態を示す断面図である。
【図２】図１に示した芳香消臭器に用いられる吸上揮散部材の１例を示す図であり、（ａ）は吸上揮散部材の外観を示す斜視図、（ｂ）は吸上部の構造を示す模式的断面図である。
【図３】従来の芳香器の１例を示す図であり、（ａ）は全体の構成を示す断面図、（ｂ）は（ａ）に示した保持枠に、帯状の吸上揮散部材が取り付けられた状態を示す断面図である。
【図４】特許文献４に開示されている消臭効果に優れた芳香器に用いられる吸上揮散部材の構成を示す図であり、（ａ）は斜視図、（ｂ）は（ａ）に示したＩＸｂ−ＩＸｂ’切断線における断面図である。
【図５】本発明係る芳香消臭器の一実施形態を示す図であり、（ａ）は、吸上部及び揮散部が分離して存在する吸上揮散部材を備える芳香消臭器の構成を示す断面図であり、（ｂ）は（ａ）に示した芳香消臭器の使用時の状態を示す断面図である。
【図６】銀イオン担持ゼオライトを含むコーティング部を有する吸上揮散部材を使用して、脱臭効果を測定した結果を示す図である。（A）はトリメチルアミンに関する測定結果；(B)は硫化水素に関する測定結果；(C)はメチルメルカプタンに関する測定結果；（Ｄ）はアセトアルデヒドに関する測定結果である。図中、銀イオン担持ゼオライト(４ｇ／ｍ２)とは、銀イオン担持ゼオライトを４ｇ／ｍ２割合で含むコーティング部を有する吸上揮散部材を使用した場合；銀イオン担持ゼオライト(６ｇ／ｍ２)とは、銀イオン担持ゼオライトを６ｇ／ｍ２割合で含むコーティング部を有する吸上揮散部材を使用した場合；不織布単独とは、ＰＥＴ製不織布被覆繊維を吸上揮散部材として使用した場合；粒状活性炭含有とは、ＰＥＴ製不織布被覆繊維中に粒状活性炭を分散させたものを吸上揮散部材として使用した場合を示す。
【図７】銀イオン担持ゼオライトを含むコーティング部を有する吸上揮散部材について、悪臭吸収後の色調変化を示す図である。(A)は硫化水素を使用した場合の結果であり、(B)はメチルメルカプタンを使用した場合の結果である。図中、(1)〜(6)は、それぞれ以下の条件での試験結果（吸上揮散部材の性状）を示す：(1)銀イオン担持ゼオライトを含まないＰＥＴ製不織布被覆繊維を吸上揮散部材として使用し、芳香液を含まない、(2)銀イオン担持ゼオライトを含まないＰＥＴ製不織布被覆繊維を吸上揮散部材として使用し、芳香液を含む、(3)銀イオン担持ゼオライトを２ｇ／ｍ２割合で含むコーティング部を有する吸上揮散部材を使用し、芳香液を含まない、(4)銀イオン担持ゼオライトを２ｇ／ｍ２割合で含むコーティング部を有する吸上揮散部材を使用し、芳香液を含む、(5)銀イオン担持ゼオライトを６ｇ／ｍ２割合で含むコーティング部を有する吸上揮散部材を使用し、芳香液を含まない、(6)銀イオン担持ゼオライトを６ｇ／ｍ２割合で含むコーティング部を有する吸上揮散部材を使用し、芳香液を含む。
【符号の説明】
【００７７】
１、１０    芳香消臭器
３          芳香液容器（容器）
５、６      吸上揮散部材
６ａ        吸上部
６ｂ        揮散部
７      キャップ
８      支持枠
１１    被覆層
１２    繊維層
１３    多孔質体
１５    支持部材
１６    キャップ
１７    揮散部支持部材
【図１】
0005191095.tif 000005
【図２】
0005191095.tif 000006
【図３】
0005191095.tif 000007
【図４】
0005191095.tif 000008
【図５】
0005191095.tif 000009
【図６】
0005191095.tif 000010
【図７】
0005191095.tif 000011